(57)【要約】【課題】消費電力を抑えた画像処理装置、画像処理装置の制御方法、及びプログラムを提供する。【解決手段】可搬性記憶媒体が装着されると、可搬性記憶媒体内の情報を読み取る読取手段と、画像処理装置自体の動作に必要な機能ブロックを判別する判別手段と、該当する機能ブロックだけを個別に電源制御する制御手段と、を備えた。【選択図】図３
2010219813.tif 000002
【特許請求の範囲】
【請求項１】
可搬性記憶媒体が装着されると、該可搬性記憶媒体内の情報を読み取る読取手段と、
画像処理装置自体の動作に必要な機能ブロックを判別する判別手段と、
該当する機能ブロックだけを個別に電源制御する制御手段と、を備えたことを特徴とする画像処理装置。
【請求項２】
前記制御手段は、前記可搬性記憶媒体が省電力中に装着されると、表示手段を通常動作時より低い電力で画面表示させることを特徴とする請求項１記載の画像処理装置。
【請求項３】
前記可搬性記憶媒体内のファイルを検索するファイル検索手段と、
前記ファイルの一覧表示を行う一覧表示手段と、を備え、
前記制御手段は、複数の定義ファイルから選択することを特徴とする請求項１記載の画像処理装置。
【請求項４】
前記可搬性記憶媒体内の複数の定義ファイルを検索する定義ファイル検索手段と、
複数のファイルと複数の定義ファイルとを組合せる組合せ手段と、を備え、
前記制御手段は、該組合せ手段で作成された組合せを制御することを特徴とする請求項３記載の画像処理装置。
【請求項５】
前記定義ファイルを表示する表示手段と、
前記定義ファイルの値を編集、変更する設定変更手段と、を備え、
前記制御手段は、定義ファイルを画面表示させることを特徴とする請求項３または４記載の画像処理装置。
【請求項６】
省電力状態からの復帰要因を判別する要因判別手段と、
電源制御動作を一定時間移行させない制御をするタイマー制御手段と、
を備え、
前記制御手段は、省電力復帰キーで復帰しても一定時間前記可搬性記憶媒体を検知することを特徴とする請求項１から５の何れか一項記載の画像処理装置。
【請求項７】
原稿をセットされたことを検知する検知手段と、
該検知手段に応じ、シーケンスを変更する変更手段と、
を備え、
前記制御手段は、前記可搬性記憶媒体の検知前後で原稿セット、圧板開閉を検知した場合にはスキャナモードを行うことを特徴とする請求項６記載の画像処理装置。
【請求項８】
描画データと画面サイズの比率から、描画を拡大縮小するか否かを判別する判別手段と、
段階的に描画の細かさ、自由度を調整する調整手段と、
を備え、
前記制御手段は、初めのメニューはキャラクタから拡大表示し、メニューが深くなる場合にはアニメーション描画で細かく表示させることを特徴とする請求項１から７の何れか一項記載の画像処理装置。
【請求項９】
可搬性記憶媒体が装着されると、該可搬性記憶媒体内の情報を読み取り、画像処理装置自体の動作に必要な機能ブロックを判別し、該当する機能ブロックだけを個別に電源制御することを特徴とする画像処理装置の制御方法。
【請求項１０】
コンピュータに、
読取手段が、画像処理装置自体に可搬性記憶媒体が装着されると、該可搬性記憶媒体内の情報を読み取る手順、
判別手段が、画像処理装置自体の動作に必要な機能ブロックを判別する手順、
該当する機能ブロックだけを個別に電源制御する手順、
を実行させることを特徴とするプログラム。
【発明の詳細な説明】
【技術分野】
【０００１】
本発明は、画像処理装置、画像処理装置の制御方法、及びプログラムに関する。
【背景技術】
【０００２】
近年、グローバルなエコ活動に対応した複合機の省エネ発明が多くなされている。
また、ネットワーク上のＰＣ（Ｐｅｒｓｏｎａｌ  Ｃｏｍｐｕｔｅｒ）と接続することにより印刷やスキャン蓄積をするだけでなく、その利便性からＵＳＢ（Ｕｎｉｖｅｒｓａｌ  Ｓｅｒｉａｌ  Ｂｕｓ）メモリなどのメディアに蓄積された文書の印刷やメディアへのスキャンデータの蓄積が利用されている。
上述の省エネ発明としては、一定時間複合機を使用する操作がなされない場合には消費電流の大きなユニットの電源をＯＦＦし、必要最小限だけ通電する技術が考えられ既に知られている。
【０００３】
この種の技術が特許文献１に開示されている。
特許文献１に記載の発明は、オペレータが使用するモードにすばやく移行し、かつ消費電力を抑えることを目的とする発明であり、同文献には、スリープモードに移行する直前に設定されていた動作モードを選択したり、ＵＳＢメモリ内のデータ種別、動作モードに応じて、表示画面をそのモードにあったものを選択し表示したり、使用しないデバイスの給電を行わない構成が開示されている。
【発明の概要】
【発明が解決しようとする課題】
【０００４】
しかし、従来の画像処理装置では、タイマー制御で省エネモードへの再移行を行っているため、使用頻度が高い場合には省エネモードに移行する前に、次の操作をされたりして結局省エネモードに移行しなかったりして省エネ効果が得られず、また外部メモリを使用しても詳細な動作モード設定などは操作部などの装置で行うことしかできず、動作させるまでの間の操作パネルの操作時間だけ待機電力を消費してしまう問題があった。
【０００５】
また、特許文献１に記載の発明は、しかし、操作パネルで操作しているときの待機電力は従来技術とほとんど変わらず、また再度省エネモードに移行するのは従来技術と同じなため、省エネ効果はほとんど期待できないという問題があった。
【０００６】
そこで、本発明の目的は、消費電力を抑えた画像処理装置、画像処理装置の制御方法、及びプログラムを提供することにある。
【課題を解決するための手段】
【０００７】
上記課題を解決するために、請求項１記載の発明は、可搬性記憶媒体が装着されると、該可搬性記憶媒体内の情報を読み取る読取手段と、画像処理装置自体の動作に必要な機能ブロックを判別する判別手段と、該当する機能ブロックだけを個別に電源制御する制御手段と、を備えたことを特徴とする。
【０００８】
請求項２記載の発明は、請求項１記載の発明において、前記制御手段は、前記可搬性記憶媒体が省電力中に装着されると、表示手段を通常動作時より低い電力で画面表示させることを特徴とする。
【０００９】
請求項３記載の発明は、請求項１記載の発明において、前記可搬性記憶媒体内のファイルを検索するファイル検索手段と、前記ファイルの一覧表示を行う一覧表示手段と、を備え、前記制御手段は、複数の定義ファイルから選択することを特徴とする。
ここで、「定義ファイル」とは、機能ブロックごとに制御する項目があり、その設定の一覧が入ったファイルを意味する。定義ファイルに複数の機能ブロックの設定がある場合もあり、一つだけの場合もある（一つだけ有効とし、その他は無効と設定することである。）。
【００１０】
請求項４記載の発明は、請求項３記載の発明において、前記可搬性記憶媒体内の複数の定義ファイルを検索する定義ファイル検索手段と、複数のファイルと複数の定義ファイルとを組合せる組合せ手段と、を備え、前記制御手段は、該組合せ手段で作成された組合せを制御することを特徴とする。
【００１１】
請求項５記載の発明は、請求項３または４記載の発明において、前記定義ファイルを表示する表示手段と、前記定義ファイルの値を編集、変更する設定変更手段と、を備え、前記制御手段は、定義ファイルを画面表示させることを特徴とする。
【００１２】
請求項６記載の発明は、請求項１から５の何れか一項記載の発明において、省電力状態からの復帰要因を判別する要因判別手段と、電源制御動作を一定時間移行させない制御をするタイマー制御手段と、を備え、前記制御手段は、省電力復帰キーで復帰しても一定時間前記可搬性記憶媒体を検知することを特徴とする。
【００１３】
請求項７記載の発明は、請求項６記載の発明において、原稿をセットされたことを検知する検知手段と、該検知手段に応じ、シーケンスを変更する変更手段と、を備え、前記制御手段は、前記可搬性記憶媒体の検知前後で原稿セット、圧板開閉を検知した場合にはスキャナモードを行うことを特徴とする。
【００１４】
請求項８記載の発明は、請求項１から７の何れか一項記載の発明において、描画データと画面サイズの比率から、描画を拡大縮小するか否かを判別する判別手段と、段階的に描画の細かさ、自由度を調整する調整手段と、を備え、前記制御手段は、初めのメニューはキャラクタから拡大表示し、メニューが深くなる場合にはアニメーション描画で細かく表示させることを特徴とする。
【００１５】
請求項９記載の発明は、可搬性記憶媒体が装着されると、該可搬性記憶媒体内の情報を読み取り、画像処理装置自体の動作に必要な機能ブロックを判別し、該当する機能ブロックだけを個別に電源制御することを特徴とする。
【００１６】
請求項１０記載の発明は、コンピュータに、読取手段が、画像処理装置自体に可搬性記憶媒体が装着されると、該可搬性記憶媒体内の情報を読み取る手順、判別手段が、画像処理装置自体の動作に必要な機能ブロックを判別する手順、該当する機能ブロックだけを個別に電源制御する手順、を実行させることを特徴とする。
【発明の効果】
【００１７】
本発明によれば、画像処理装置に接続された可搬性記憶媒体内の文書と動作設定に基づき、低電力用の画面表示だけ行い、詳細な動作モード設定でも、すばやくかつ画像処理装置で必要な部位だけを順番に給電のＯＮ、ＯＦＦ制御をしていくことで、使用頻度の高い装置でも必要最小限の消費電力に低減できる。
【図面の簡単な説明】
【００１８】
【図１】本発明に係る画像処理装置の全体ブロック図の一例を示す図である。
【図２】本発明に係る画像処理装置の電源制御ごとのブロック構成図の一例である。
【図３】図１に示した画像処理装置の具体的な定義ファイル作成フローとオペパネ制御部の制御フローについて説明する図である。
【図４】ＵＳＢメモリ内のディレクトリ構成について具体的に説明するための説明図である。
【図５】図１に示した画像処理装置の具体的な動作モードと省エネ効果について説明するための図である。
【図６】図１に示した画像処理装置の動作を説明するためのフローチャートの一例である。
【図７】図１に示した画像処理装置の動作を説明するためのフローチャートの他の一例である。
【図８】図１に示した画像処理装置の動作を説明するためのフローチャートの他の一例である。
【図９】図１に示した画像処理装置の動作を説明するためのフローチャートの他の一例である。
【発明を実施するための形態】
【００１９】
＜概  要＞
本発明に係る画像処理装置は、具体的には、省電力状態にある画像処理装置について可搬性記憶媒体内のデータをプリント印刷などする処理に際して、以下の特徴を有する。要するに、本発明は、可搬性記憶媒体の情報を使って、省電力から復帰して動作する際、ユニット電源のＯＮ、ＯＦＦ制御を極力電力がアップしないように制御することが特徴になっている。
【００２０】
＜画像処理装置全体の構成＞
次に本発明の実施の形態について図を参照して説明する。
本実施の形態では、可搬性記憶媒体がＵＳＢメモリの場合で説明する。
図１に本発明に係る画像処理装置の全体ブロック図の一例を示す。
画像処理装置は、スキャナで読み込んだイメージデータをプロッタ部（図示せず）で印刷する機能ブロックを有する。画像処理装置は、ネットワーク、ＵＳＢデバイスＩ／Ｆからのプリントデータをプリント（印刷）したり、スキャナ部で読み込まれたイメージデータからイメージファイルを生成し、ストレージやネットワークにイメージデータを送ったりする。
【００２１】
画像処理装置は、スキャナで読み込んだデータを電話回線網に送出したり、電話回線から受信するイメージデータをプリントアウトしたりするＦＡＸ機能ブロックも有している。画像処理装置は、ネットワーク、ＵＳＢに接続するＰＣからのＦＡＸ動作も行える。
【００２２】
画像処理装置は、画像データの処理を行う制御手段としてのメインＭＰＵ（Ｍｉｃｒｏ  Ｐｒｏｃｅｓｓｉｎｇ  Ｕｎｉｔ：１ａ）と、プロッタスキャナエンジンを制御するエンジンＭＰＵ（１ｂ）とが主要な制御を行う。これらメインＭＰＵ（１ａ）、エンジンＭＰＵ（１ｂ）は、通信ポートにて接続し、全体の制御を行っている。
【００２３】
これらＭＰＵ１ａ、１ｂは、それぞれに、プログラムを格納するＦＲＯＭ１，２（２ａ，２ｂ）、プログラム動作、データハンドリングのためのＤＲＡＭ（Ｄｙｎａｍｉｃ  Ｒａｎｄｏｍ  Ａｃｃｅｓｓ  Ｍｅｍｏｒｙ）１，２（３ａ，３ｂ）を持つ。メインＭＰＵ（１ａ）は、設定データ格納のため電池（４ｂ）で電源ＯＦＦ時も記憶保持するＳＲＡＭ（４ａ）も装備している。
【００２４】
画像処理装置における、装置外とのコミュニケーションを行う部分（通信部）は、通信制御部（６）を介してメインＭＰＵ（１ａ）バスに接続している。
メインＭＰＵ（１ａ）と通信部とは、それぞれのデータを蓄積しておく画像データストレージ（５ａ）、及び通信データストレージ（５ｂ）を装備している。これらは大容量ＨＤＤ（Ｈａｒｄ  Ｄｉｓｃ  Ｄｒｉｖｅ）などである。
【００２５】
スキャナ機能ブロックのためメインＭＰＵ（１ａ）側には画像処理制御部１（７ａ）があり、エンジンＭＰＵ（１ｂ）側にはスキャナ（８）、及びスキャナ制御部（８ａ，８ｂ）がある。これら１ａ、１ｂ、７ａ、８ａ、８ｂは高速な専用バスにて接続されている。
本画像処理装置におけるレーザーへの書き込みデータは同様に、メインＭＰＵ（１ａ）側には画像処理制御部２（７ｂ）があり、エンジンＭＰＵ（１ｂ）側にはレーザー、レーザー制御部（９ａ，９ｂ）があり、これらもスキャナとは別の高速専用バスにて接続している。
【００２６】
画像処理制御部１，２は装置のデフォルト設定で必要なロジックとし、デフォルト以外のプリンタ言語、解像度、ファイル変換などの処理をする制御部は画像処理制御部３（７ｃ）として切り出すこととする。
エンジンＭＰＵ（１ｂ）側にはその他に、定着ユニット周辺、トナー制御などのプロッタＩ／Ｏ、プロッタ制御部（１０ａ，１０ｂ）モーターやクラッチ、センサーとそれを制御するＩ／Ｏ制御部１（１１ａ，１１ｂ，１１ｃ）がある。
画像処理装置へのＡＣ電源入力は、電源コード（１９ａ）を介して電源制御回路（１９ｂ）へ供給される。ＡＣ電源から生成するＨｉｇｈＰｏｗｅｒＶｏｌｔａｇｅ（ＨＰＶ）ユニットと定着ユニット（１９ｃ）とが接続しており、装置全体へ直流電源を供給する直流電源生成部（２０）も装備されている。
Ｉ／Ｏ制御部１（１１ｃ）には、画像処理装置に接続するオプションユニットである、ＡｕｔｏＤｏｃｕｍｅｎｔＦｅｅｄｅｒ（ＡＤＦ）、給紙バンク（バンク）、両面ユニット、ソートやステップル止めを行うフィニッシャ（１２ａ，１２ｂ，１２ｃ，１２ｄ）が接続される。
【００２７】
通信部には、操作部、外部接続ケーブルが接続されている。
アナログ電話回線網と接続するＦＡＸ部は、アナログ回線Ｉ／Ｆ、及びＦＡＸモデム（１３ａ，１３ｂ）で構成される。
画像処理装置とネットワーク網との接続はＬＡＮＩ／Ｆ（１４）を介して行われる。ネットワークのハンドシェイクなどは通信制御部（６）が行うものである。制御部に接続されるＵＳＢデバイス、ＵＳＢホストはＵＳＢＰＨＹ（１５ａ）に接続する。
制御部と離れた場所に位置することが一般的な操作部（点線枠内）はＵＳＢＰＨＹ（１５ａ）に縦属接続するＵＳＢＨＵＢ（１５ｂ）を介して、メインＭＰＵ（１ａ）、及び通信制御部（６）と接続している。ＵＳＢＨＵＢ（１５ｂ）は、ＵＳＢメモリを装着できるＵＳＢＨＯＳＴＩ／Ｆを有している。
【００２８】
操作部の制御は、読取手段としてのオペレーションパネル（以下、オペパネと表記する。）制御部（１８）で行われる。操作画面であるＴＰ（Ｔｏｕｃｈ  Ｐａｎｅｌ：タッチパネル：１６ａ）付き画面の一覧表示手段としてのＬＣＤ（Ｌｉｑｕｄ  Ｃｒｙｓｔａｌ  Ｄｉｇｉｔａｌ：１６ｂ）がある。ＬＣＤ（１６ｂ）はｖｉｄｅｏメモリを内蔵し、制御回路と一体型で、本願発明の画像処理装置で使用する低ｄｏｔのＣＧ（Ｃｈａｒａｃｔｅｒ  Ｇｅｎｅｒａｔｏｒ）ＲＯＭ（１６ｃ）も内蔵している。オペパネ制御部（１８）によりＬＣＤ（１６ｂ）に表示される。
【００２９】
オペパネ制御部（１８）は、キーＳＷ（スイッチ）やＬＥＤ（１６ｄ）のスキャン、ＯＮ、ＯＦＦ制御も行っており、スピーカーや圧電ブザーなどの音声再生やマイク（１７ａ）は音声処理部（１７ｂ）を介して接続されている。オペパネ制御部（１８）はファイル検索手段及び定義ファイル検索手段としての機能ブロックを有し、ＵＳＢＨＵＢ（１５ｂ）経由でＵＳＢ  Ｈ２をファイル検索する。
また、オペパネ制御部（１８）は、シーケンスを変更する変更手段としての機能ブロックを有しており、ＦＲＯＭ（２ｃ）にある、後述する図６に示す処理フローの動作を行う。そのフローの中の判断箇所である。
【００３０】
また、オペパネ制御部（１８）は、描画データと画面サイズの比率から、描画を拡大縮小するか否かを判別する判別手段としての機能ブロックを有しており、オペパネ制御部（１８）がＦＲＯＭ３（２ｃ）にある演算方法に従い演算する。例えば、ＬＣＤ画面縦寸法を、表示する文字などが占める領域の縦寸法で割り算し、同様にＬＣＤ画面横寸法を領域の横寸法で割り算し、両者の小さい方の数を、１以下の場合は縮小し、予め決められた値より大きかったら拡大する。
また、オペパネ制御部（１８）は、調整手段としての機能ブロックを有しており、ＦＲＯＭ３（２ｃ）にある演算方法に従い演算する。表示する文字などが変わるたびにこの演算を実施し、拡大縮小を実施する。そのとき、表示ごとに切り替える場合や、例えば次の表示内容の拡大縮小比率に前画面を拡大縮小し、その後画面を切り替えたり、次の表示内容は前の拡大縮小比率で表示し、その後次の拡大縮小比率に、徐々に切り替えたりするなどが挙げられる。これらは表示する画面の大きさ、場合のメニュー表示について予め決めておいてもよい。
【００３１】
本発明の画像処理装置としては、ｂｏｏｔ（ブート：起動、立ち上げ）と本発明の動作を行えるプログラムを格納するＦＲＯＭ（Ｆｌａｓｈ  ＲＯＭ）３（２ｃ）と、グラフィック制御やそのイメージデータはＦＲＯＭ４（２ｄ）とに分割する。オペパネ制御部（１８）が動作するＲＡＭは内蔵するものとし、グラフィック処理や大画面描画に必要なワークメモリはＤＲＡＭ３（３ｃ）を使用するものとする。
本発明の画像処理装置の構成としては、操作部に直流電源生成部（２０）を制御したり、Ｉ／Ｏ制御部１（１１ｃ）をスルーして得られるセンサー情報を読み取ったりするため、個別に電源制御する制御手段としてのＩ／Ｏ制御部２（１１ｄ）を有している。
【００３２】
ここで、本発明の画像処理装置は、設定変更手段を有する。
オペパネ制御部（１８）がＦＲＯＭ３（２ｃ）からロードし、ＬＣＤ（１６ｂ）に表示し、入力のためのＴＰ（１６ａ）の押下情報を取得する。オペレータに、項目一覧とその項目の値とを表示し、オペレータが値を選択したら、入力画面を表示させる。例えばサイズで、定義ファイルがＢ４だった場合、オペレータが”Ｂ４“を押下すると、上下矢印キーとその操作により、Ａ３，Ａ４、Ａ５、Ｂ５と順番に切り替わる画面があり、その画面が設定変更手段である。
【００３３】
＜具体的な画像処理装置全体の電源制御ごとの構成＞
図２は、本発明に係る画像処理装置の電源制御ごとのブロック構成図の一例である。
画像処理装置は、コピー、プリンタ、スキャナ、ＦＡＸの機能を動作するものである。本発明に係る画像処理装置は、省電力状態にある装置を可搬性記憶媒体としてのＵＳＢ起動した場合の発明である。
コピー動作、ＦＡＸ受信についてはプリンタ、スキャナ動作の組合せ、拡張の動作で実現する。説明としては、まずはプリント動作、スキャナ動作、ＦＡＸ送信について説明する。
プリント印刷、スキャナ読み取り、ＦＡＸ送信において、その機能を達成するための図１のブロックを電力消費の面からも鑑みて、図２の２点鎖線で囲まれたブロック郡に分けることとする。このわけ方は一例にすぎず、同じＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向け集積回路）内での多電源化による実現や、画像処理装置の形態によりいろいろな組合せがある。
【００３４】
尚、図２では機能面と消費電力削減効果が見えやすい部位として、Ａ部〜Ｊ部までに分割している。
これらＡ部〜Ｊ部は表４以降の説明で詳細を述べる。
図３は、図１に示した画像処理装置の具体的な定義ファイル作成フローとオペパネ制御部の制御フローについて説明する図である。
図４は、ＵＳＢメモリ内のディレクトリ構成について具体的に説明するための説明図である。
表１は、具体的な定義ファイルの定義値の一覧について説明する表である。
【００３５】
＜動  作  １＞
図１、２を参照して画像処理装置の動作の一例を説明する。
まず、ＵＳＢメモリに画像処理装置のプリント印刷、スキャナ読み取り、ＦＡＸ送信機能を実現するために必要な、各種の機能ブロックの設定を格納する方法である。
ＰＣからプリント印刷やＰＣ−ＦＡＸ送信動作を行う場合に設定する値や、ＰＣへのＴＷＡＩＮ（トウェイン：スキャナを操作するための統一規格）読み込みや装置の画面操作によるスキャナ転送などの場合の設定する値は、本発明のＰＣドライバーソフトを準備し、同じ操作を実施してもらうことで設定値を取得できるようにする。
【００３６】
この設定値を上述の機能ブロックの動作を行うための文書データに対する定義ファイルと呼ぶ。
図３（ａ）に示した処理フロー（定義ファイル生成手順）について説明する。
上述のＰＣドライバを起動し（ステップＳ１）、上述の文書データを選択して、プリント印刷やＰＣ−ＦＡＸ送信の設定を入力し（ステップＳ２）、ドライバ画面のＯＫボタンを押し下げる（ステップＳ３）。
この動作は通常のプリント印刷やＰＣ−ＦＡＸ送信を即時に行う手順と全く同じである。本発明に係る画像処理装置のドライバーソフトは、オペレータ設定から得られた設定値を定義ファイルとして生成する（ステップＳ４）。
次にデータを格納する文書ファイルを保存する、ＵＳＢ内のディレクトリを選択し（ステップＳ５）、文書データを指定されたディレクトリに格納する（ステップＳ６）。
このときドライバは生成された定義ファイルをＰＣのテンポラリからＵＳＢメモリのルートディレクトリに移動する（これは起動時の動作を簡単にするためルートに置くものである。：ステップＳ７）。
【００３７】
ここで、ＵＳＢメモリ内のファイル、ディレクトリ構成の一例を図４に示す。
オペレータがＵＳＢの中には“ＰＲＩＮＴ”と“ＦＡＸ”、“ＳＣＡＮ”というディレクトリに分かれており、“ＰＲＩＮＴ”と "ＳＣＡＮ"のサブディレクトリには"文書"、"図"、"表"などのサブディレクトリ、"会議"、"報告書などのサブディレクトリがある。
上記ＰＣからの発明動作で、ある表のプリント印刷したいデータをＵＳＢ：￥ＰＲＩＮＴ￥表のディレクトリに格納した場合、定義ファイルはＵＳＢ：￥に格納するものである。
【００３８】
定義ファイルは、一例としてテキスト形式のデータが入ったファイルで、表１に示す画像処理装置への設定内容を、各ヘッダーをつけて識別するようにしたものである。
【００３９】
【表１】
2010219813.tif 000003
【００４０】
注記にあるように、上述の文書ファイル名に、例えば拡張子ＥＩＤと付してオペパネ制御部（１８）から認識できるようにする。
別の方法としてはＵＳＢのルートディレクトリに本発明に係る画像処理装置の動作を実行するプログラムを格納し、ＵＳＢメモリが接続されると、ＵＳＢイニシャライズ後あらかじめ決められたハンドシェイクにより、定義ファイルのデータをデータ転送する仕組みにしておけばオペパネ制御部（１８）の処理部は簡単な構成で実現できるようにできる。
【００４１】
また、定義ファイルにファイルのディレクトリ先も記載すれば、図４に示すようにオペレータがＵＳＢ内を複雑なディレクトリ構造にしていても該当するファイルに簡単に着くことができる。
【００４２】
本発明に係る画像処理装置の動作を図３（ｂ）の処理フロー（オペパネ制御部の動作）で説明する。
画像処理装置がタイマー設定などで一定時間操作が行われないときには省電力モードに移行するものとする。これは一般的な技術で実現されている既知機能である。省電力モードに移行すると本発明に係る画像処理装置の動作がスタートする。
ここで、タイマー設定は、オペパネ制御部（１８）の内部にあるタイマー制御手段（１８ａ）によって行われる。
オペパネ制御部（１８）はＵＳＢメモリが装着されると（ステップＳ１１）、上述の動作で定義ファイルを読み込む（ステップＳ１２）。
一例として定義ファイルでは、文書ファイルＡＢＣ．ｄｏｃをプリント印刷する動作を示す。この動作を定義ファイルから読み取ったオペパネ制御部（１８）はＦＲＯＭ３（２ｃ）、ＣＧＲＯＭ（１６ｃ）を用いて、「文書ファイルＡＢＣ．ｄｏｃをプリント印刷します。」とＬＣＤ（１６ｂ）上に描画し（ステップＳ１３）、バックライトをＯＦＦからＯＮにする（ステップＳ１４）。
【００４３】
オペレータに「文書ファイルＡＢＣ．ｄｏｃをプリント印刷します。」の文字が読み取れることになる。このときＣＧＲＯＭの容量をコストダウン等でより小さなものにする場合には低ｄｏｔのキャラクタのみとなる。ＬＣＤ画面のｄｏｔ数との関係になるが、これらのｄｏｔ数に差がある場合には画面に比べかなり小さな文字になってしまう場合がある。読み取れるサイズか否かは実際のｄｏｔ数比によるが、オペパネ制御部（１８）がＣＧＲＯＭ（１６ｃ）のデータを読み込んで、ＣＧＲＯＭのｄｏｔ数の何倍かの大きさに拡大処理し、ＬＣＤに描画することで見にくさは回避できる（複雑な描画や請求項３以降の動作では、Ｂ部（ＦＲＯＭ４、ＤＲＡＭ３）を起動させ、通常の動作画面と同じに、より複雑で、より繊細で、より綺麗な画面表示に移行する。）。
【００４４】
次に発明の動作を取りやめたい仕組みとして処理から抜ける“ＥＸＩＴ”ボタンを描画し、タッチパネルで押下を検出できるようにしておき、一定時間待つルーチンを設ける（ステップＳ１５、Ｓ１６）。
一定時間が過ぎると、ＬＣＤ、バックライトをＯＮからＯＦＦにし（ステップＳ１７）、メインＭＰＵ（１ａ）に通知するために必要なブロックとしての通信制御部（６）を起動しにいく（ステップＳ１８）。
オペパネ制御部（１８）がメインＭＰＵ（１ａ）の動作を代行する仕組みを設ければ、比較的消費電力の高いメインＭＰＵ（１ａ）を起動しなくてもいいが、実施の形態としては、オペパネ制御部（１８）は定義ファイルから解釈した設定をメインＭＰＵ（１ａ）に転送するとともに、メインＭＰＵ（１ａ）からの要求でＵＳＢメモリ内のＡＢＣ．ｄｏｃデータも転送するようにしている。
メインＭＰＵ（１ａ）は、通常動作時と同じように、ＡＢＣ．ｄｏｃ文書の印刷を開始する。
オペパネ制御部（１８）は、Ｉ／Ｏ制御部１、２（１１ｄ，１１ｄ）経由で画像処理装置のＩ／Ｏ状態を監視し、シーケンシャルに直流電源生成部（２０）をＯＮ、ＯＦＦするものとする（ステップＳ１９）。
プリント印刷が終了すると、各部をＯＦＦやスリープモード、低電力モードに移行させ、スタートの省電力モードに戻ることになる（ステップＳ２０、Ｓ２１）。
【００４５】
表２、３は、いくつかの設定例に基づいたプリント印刷、ＦＡＸ送信のシーケンスをまとめたものである。
【００４６】
【表２】
2010219813.tif 000004
【００４７】
【表３】
2010219813.tif 000005
【００４８】
これらは画像処理装置に対して予め一義的に定めたシーケンスをＦＲＯＭ３内に格納していてもよく、上述のようにメインＭＰＵのブロックへの要求信号をトリガにするようにしてもいい。
【００４９】
装着されるＵＳＢメモリは、比較的装置の背面に位置するＵＳＢＰＨＹ（１５ａ）経由のＵＳＢ  ｈ１ではなく、よりオペレータに近い場所に位置する操作部に装備されたＵＳＢＨＵＢ（１５ｂ）経由のＵＳＢ  ｈ２である。
【００５０】
表４は、具体的なブロックごとの省電力時の状態の一覧について説明する表である。
【００５１】
表４及び図１を参照して消費電力を下げる仕組みを説明する。
画像処理装置の各ブロックは、ネットワーク、電話回線網、ＰＣとのＵＳＢ接続からの起動要求を受けられるだけの回路構成、ブロック構成を取っている。省電力モードにおける電力状態の例を表４に示す。
【００５２】
【表４】
2010219813.tif 000006
【００５３】
アナログＩ／Ｆ（１３ａ）は、電話回線網の交換機からの回線給電で動作できるものである。また電池（４ｂ）でバックアップされたＳＲＡＭ（４ａ）は、ＡＣ（Ａｌｔｅｒｎａｔｉｎｇ  Ｃｕｒｒｅｎｔ：交流）からの電力供給とは切り離されている。省電力時の消費電力を極力落とした構成として、電源制御回路（２）、直流電源生成部（１９ｂ）、オペパネ制御部（１８）、Ｉ／Ｏ制御部（２）、ＦＲＯＭ（３）は活電状態とする。
【００５４】
動作要求に対して比較的応答をよくしなければならないＬＡＮＩ／Ｆ（１４）やＵＳＢＰＨＹ（１５ａ）は通常動作時よりは消費電力を抑えた“低電力待機”状態とする。比較的遅くていいＦＡＸモデム（１３ｂ）や、画像処理をするメインＣＰＵであるメインＭＰＵ（１ａ）やペリフェラルのＦＲＯＭ１（２ａ）、ＤＲＡＭ１（３ａ）は、低電力待機モードよりより低電力な、低電力スリープ状態にしておく。その他のブロックは全て電源ＯＦＦ、すなわち消費電力を０Ｗにしておく。
【００５５】
これらは、オペパネ制御部（１８）の、ＵＳＢ装着に対する反応時間を遅くした場合には、さらに活電状態から一段低い消費電力にできる構成を取ることができるが、比較的反応時間が速い構成の一例である。
【００５６】
電源ＯＦＦされたブロックについて定義ファイルに記載された設定値から必要、不必要を判断し、必要ならば必要なタイミングだけ活電させ、不必要ならば電源ＯＦＦしたままにする、シーケンシャルＯＮ、ＯＦＦを実行する。
メインＣＰＵ（１ａ）からの通知も行っているが、データ処理に関してはブロックからブロックまで例えばＤＭＡ転送されたエンド通知により、そのブロックが不必要になったと判断できる。
【００５７】
また本発明に係る画像処理装置の動作について各ブロックの回路構成を盛り込み、ＯＮ、ＯＦＦ許可信号を生成して、そのシーケンスをオペパネ制御部（１８）またはメインＭＰＵ（１ａ）が監視してもよい。プリント印刷やＡＤＦ動作などの場合には、印字する紙や通紙する原稿の位置情報をセンサーで読み取り、センサーを通過してからの時間で、不必要を判断してもよい。
【００５８】
表２、３は、具体的なシーケンシャル電源ＯＮ、ＯＦＦ推移について説明する表の一例である。
実施の形態としては動作モードごとにどのブロックを使用するのかをリストアップしておき、ＦＲＯＭ３（２ｃ）内にシーケンスとともに格納しているものとする。
メインＭＰＵ（１ａ）の動作の中でＦＲＯＭ１（２ａ）内にスケジューラーを設けて制御してもよい。
表４に示されるブロックは必要なときだけ、表２、３、及び後述する表５の、電源ＯＦＦ（×）、スリープ状態や低電力待機状態（△）から活電状態（○）へ移行（×→○や△→○）する。電源ＯＦＦ＝×のブロックは直流電源生成部（２０）をＯＦＦからＯＮに制御する。
【００５９】
低電力待機や低電力スリープ＝△のブロックはメインＭＰＵ（１ａ）経由やオペパネ制御部（１８）が直接ＷＡＫＥＵＰ信号をアクティブにドライブする。
不必要になれば、その逆に移行させる。（○→×や○→△）。省電力時電源ＯＦＦ＝×のブロックは直流電源生成部（２０）をＯＮからＯＦＦに制御する。
省電力時低電力待機や低電力スリープ＝△のブロックはメインＭＰＵ（１ａ）経由やオペパネ制御部（１８）が各ブロックを省電力モード移行可の通知をセットする。
上述の必要不必要を通知する信号により制御してもよく、表２、３のように定義ファイルで判別できる組合せについてテーブルを設けておき、テーブルに基づいて直流電源生成部を制御してもよい。
【００６０】
ここで、組合せを行う組合せ手段について述べる。
オペパネ制御部（１８）がＦＲＯＭ３（２ｃ）からロードしＬＣＤ（１６ｂ）に表示する。すなわち、オペレータに、どのファイルをどの定義ファイルを用いるか入力を促す画面を表示する。選択された定義ファイルをオペパネ制御部（１８）にあるスタックメモリに一時保存し、定義ファイルのＦｉｌｅ＝の部分を、選択されたファイル名にする機能ブロックを有する手段が組合せ手段である。
【００６１】
請求項７の発明はスキャナ動作についてもシーケンシャル動作を行う場合であり、表５に示す。
【００６２】
【表５】
2010219813.tif 000007
【００６３】
一定時間ＡＤＦ（１２ａ）やコンタクトガラスに原稿をセットするか否かを検出し検出があれば（Ｓｔｅｐ２（ステップＳ２ではない）までで待機し、Ｓｔｅｐ３へ移行する前）スキャン動作に必要なブロックを表５のシーケンスで上述と同様に制御するものである。
【００６４】
図５及び表６は、図１に示した画像処理装置の具体的な動作モードと省エネ効果について説明するための図及び表である。
本願の画像処理装置の動作について省エネ効果を示したのが図５である。
図５において、横軸は省エネ移行段階（Ｓｔｅｐ）を示し、縦軸は電力量（Ｗｈ）を示す。
プリント印刷において、ＰＣＬ（Ｐｒｉｎｔｅｒ  Ｃｏｎｔｒｏｌ  Ｌａｎｇｕａｇｅ：ヒューレット・パッカード社開発）言語の文書データを設定画面で操作し、両面、オプション給紙カセット、オプション排紙トレイ（フィニッシャ：１２ｄ）を用いて行った場合である。
【００６５】
【表６】
2010219813.tif 000008
【００６６】
下図の図はシーケンシャル動作のＳｔｅｐごとの消費電力を図示したものである。
ここで、本願発明の動作を行わない従来技術の画像処理装置では、オペレータ操作で起動し、省エネ移行タイマーがオーバーフローするまでは電源ＯＮしっぱなしである。プリント動作が終われば若干の電力ダウンはあるが、図５の斜線部分の無効な電力を消費することになり、本願発明ではこの無効な電力も削減することができる。
【００６７】
＜動  作  ２＞
図６を参照して画像処理装置の動作を説明する。
図６は、図１に示した画像処理装置の動作を説明するためのフローチャートの一例である。
ＵＳＢ装着が検出されると（ステップＳ２１）、定義ファイルを読み込み（ステップＳ２２）、定義ファイルが複数有るか否かを判断する（ステップＳ２３）。
定義ファイルが複数あると判断した場合（ステップＳ２３／Ｙｅｓ）は定義ファイル名を取得し（ステップ背宇２４）、定義ファイルが複数ないと判断した場合（ステップＳ２３／Ｎｏ）、ステップＳ３０に進む。
ステップＳ３０で定義ファイル名を取得すると、ＦＲＯＭ３，ＣＧＲＯＭのデータでファイル名一覧表示選択ボタン表示及び設定を行い（ステップＳ２５）、ＬＣＤのバックライトをＯＦＦからＯＮに点灯する（ステップＳ２６）。
ステップＳ２６でＬＣＤのバックライトがＯＦＦからＯＮにして点灯すると、ｅｘｉｔボタンの押し下げが有るか否かを判断し（ステップＳ２７）、押し下げが無いと判断した場合（ステップＳ２７／Ｎｏ）、ファイル選択するか否かを判断し（ステップＳ２８）、押し下げが有ると判断した場合（ステップＳ２７／Ｙｅｓ）、終了する。
【００６８】
ファイル選択する場合（ステップＳ２８／Ｙｅｓ）、ステップＳ３０に進み、ファイル選択しない場合（ステップＳ２８／Ｎｏ）、タイムオーバーか否かを判断し（ステップＳ２９）、タイムオーバーでないと判断した場合（ステップＳ２９／Ｎｏ）、ステップＳ２７に戻り、タイムオーバーであると判断した場合（ステップＳ２９／Ｙｅｓ）、終了する。
【００６９】
ステップＳ３０では、ＦＲＯＭ３、ＣＧＲＯＭのデータで描画（描画例：ＡＢＣ．ｄｏｃをプリント印刷します。）する。
描画後、ＬＣＤのバックライトをＯＮからＯＦＦにして消灯し（ステップＳ３１）、必要なブロックを低電力から起動し（ステップＳ３２）、必要なブロックの電源をシーケンシャルにＯＮ、ＯＦＦする（ステップＳ３３）。
各部の動作推移を監視し（ステップＳ３４）、動作が完了したか否かを判断し（ステップＳ３５）、動作が完了していない場合（ステップＳ３５／Ｎｏ）、ステップＳ３３に戻り、動作が完了した場合（ステップＳ３５／Ｙｅｓ）は終了する。
【００７０】
＜動  作  ３＞
図７を参照して画像処理装置の動作の他の一例を説明する。
図７は、図１に示した画像処理装置の動作を説明するためのフローチャートの他の一例である。
ＵＳＢ装着が検出されると（ステップＳ４１）、定義ファイルを読み込み（ステップＳ４２）、定義ファイルが複数あるか否かを判断し（ステップＳ４３）、定義ファイルが複数有ると判断した場合（ステップＳ４３／Ｙｅｓ）、定義ファイルのファイル名を取得し（ステップＳ４４）、定義ファイルが複数無いと判断した場合（ステップＳ４３／Ｎｏ）、ステップＳ４５に進む。
ステップＳ４５では、文書ファイルが複数あるか否かを判断し、複数有ると判断した場合（ステップＳ４５／Ｙｅｓ）、定義ファイルのファイル名を取得し（ステップＳ４６）、ステップＳ５２に進む。
ステップＳ４６で定義ファイルのファイル名を取得すると、ＦＲＯＭ３、ＣＧＲＯＭのデータで定義、文書ファイル名一覧表示選択ボタン表示を設定し（ステップＳ４７）、ＬＣＤのバックライトをＯＦＦからＯＮにして点灯させ（ステップＳ４８）、ｅｘｉｔボタンの押し下げが有るか否かを判断する（ステップＳ４９）。
【００７１】
ｅｘｉｔボタンの押し下げが無いと判断した場合（ステップＳ４９／Ｎｏ）、ファイル選択するか否かを判断し（ステップＳ５０）、ｅｘｉｔボタンの押し下げが有ると判断した場合（ステップＳ４９／Ｙｅｓ）、終了する。
ファイル選択が有ると判断した場合（ステップＳ５０／Ｙｅｓ）、ステップＳ５２に進み、ファイル選択が無いと判断した場合（ステップＳ５０／Ｎｏ）、タイマーオーバーか否かを判断する（ステップＳ５１）。
【００７２】
タイマーオーバーでないと判断した場合（ステップＳ５１／Ｎｏ）、ステップＳ４９に戻りＭタイマーオーバーであると判断した場合（ステップＳ５１／Ｙｅｓ）、終了する。
ステップＳ５２では、ＦＲＯＭ３、ＣＧＲＯＭのデータで描画（描画例“ＡＢＣ．ｄｏｃをプリント印刷します。”）し、ステップＳ５３に進む。
ステップＳ５３では、ＬＣＤのバックライトをＯＮからＯＦＦにして消灯し、必要なブロックを低電力から起動する（ステップＳ５４）。
次に必要なブロックの電源をシーケンシャルにＯＮ、ＯＦＦし（ステップＳ５５）、各部の動作推移を監視し（ステップＳ５６）、動作が完了したか否かを判断する（ステップＳ５７）。
動作が完了していないと判断した場合（ステップＳ５７／Ｎｏ）、ステップＳ５５に戻り、動作が完了したと判断した場合（ステップＳ５７／Ｙｅｓ）、終了する。
【００７３】
＜動  作  ４＞
図８を参照して画像処理装置の動作の他の一例を説明する。
図８は、図１に示した画像処理装置の動作を説明するためのフローチャートの他の一例である。
ＵＳＢ装着が検出されると（ステップＳ６１）、定義ファイルを読み込み（ステップＳ６２）、定義ファイルが複数あるか否かを判断し（ステップＳ６３）、定義ファイルが複数有ると判断した場合（ステップＳ６３／Ｙｅｓ）、ステップＳ６４に進み、定義ファイルが複数無いと判断した場合（ステップＳ６３／Ｎｏ）、ステップＳ７０に進む。
ステップＳ６４で定義ファイルのファイル名を取得すると、ＦＲＯＭ３、ＣＧＲＯＭのデータでフィル名一覧表示と選択、編集ボタン表示を設定し（ステップＳ６５）、ＬＣＤのバックライトをＯＦＦからＯＮにして点灯する（ステップＳ６６）。
ＬＣＤのバックライトを点灯すると、ｅｘｉｔボタンの押し下げが有るか否かを判断し（ステップＳ６７）、押し下げが無いと判断した場合（ステップＳ６７／Ｎｏ）、ステップＳ６８に進み、押し下げが有ると判断した場合（ステップＳ６７／Ｙｅｓ）、終了する。
ステップＳ６８で定義ファイルを選択するか否かを判断し、選択する場合（ステップＳ６８／Ｙｅｓ）、ステップＳ７０に進み、選択しない場合（ステップＳ６８／Ｎｏ）、タイマーオーバーか否かを判断する（ステップＳ６９）。
【００７４】
タイマーオーバーでないと判断した場合（ステップＳ６９／Ｎｏ）、ステップＳ６７に戻り、タイマーオーバーであると判断した場合（ステップＳ６９／Ｙｅｓ）、終了する。
ステップＳ７０でＦＲＯＭ４、ＤＲＡＭ３にてＯＦＦからＯＮの設定値を入力して画面表示を行い、ｅｘｉｔボタンの押し下げが有るか否かを判断し（ステップＳ７１）、押し下げが無いと判断した場合（ステップＳ７１／Ｎｏ）、ステップＳ７２に進み、押し下げが有ると判断した場合（ステップＳ７１／Ｙｅｓ）、終了する。
ステップＳ７２で項目選択するか否かを判断し（ステップＳ７２）、項目選択する場合（ステップＳ７２／Ｙｅｓ）、ステップＳ７４に進み、項目選択しない場合（ステップＳ７２／Ｎｏ）、ステップＳ７３に進む。
ステップＳ７３ではタイマーオーバーか否かを判断し、タイマーオーバーでない場合（ステップＳ７３／Ｎｏ）、ステップＳ７１に戻り、タイマーオーバーである場合（ステップＳ７３／Ｙｅｓ）、終了する。
【００７５】
ステップＳ７４では入力された設定値の画面表示を行い、項目終了ボタンか否かを判断し（ステップＳ７５）、項目終了ボタンであると判断した場合（ステップＳ７５／Ｙｅｓ）、ステップＳ７６に進み、項目終了ボタンでないと判断した場合（ステップＳ７５／Ｎｏ）、ステップＳ７１に戻る。
ステップＳ７６で描画し（描画例“ＡＢＣ．ｄｏｃをプリント印刷します。”）、ＬＣＤのバックライトをＯＮからＯＦＦにして消灯し（ステップＳ７７）、必要なブロックを低電力から起動する（ステップＳ８１）。
必要なブロックの電源をシーケンシャルにＯＮ、ＯＦＦし（ステップＳ７９）、各部の動作推移を監視し（ステップＳ８０）、動作が完了したか否かを判断する（ステップＳ８１）。
動作が完了していない場合（ステップＳ８１／Ｎｏ）、ステップＳ７９に戻り、動作が完了した場合（ステップＳ８１／Ｙｅｓ）、終了する。
【００７６】
＜動  作  ５＞
図９を参照して画像処理装置の動作の他の一例を説明する。
図９は、図１に示した画像処理装置の動作を説明するためのフローチャートの他の一例である。
省電力復帰要因があり（ステップＳ９１）、復帰要因を判別すると（ステップＳ９２）、ＵＳＢ装着の検出の有無を判断し（ステップＳ９３）、ＵＳＢ装着が無いと判断した場合（ステップＳ９３／Ｎｏ）、ステップＳ９４に進み、ＵＳＢ装着が有ると判断した場合（ステップＳ９３／Ｙｅｓ）、ステップＳ１０３に進む。
【００７７】
ここで、復帰要因を判別する要因判別手段について述べる。
センサー（１１ｂ）の信号は、Ｉ／Ｏ制御部１（１１ｃ）を介して、Ｉ／Ｏ制御部２（１１ｄ）でスキャンされ、レジスタのビットを非検知から検知に変える。レジスタは、ビットごとに要因が割り当てられている。このレジスタを、オペパネ制御部（１８）がリードすることで、要因を判別することができる。すなわち、オペパネ制御部（１８）が要因判別手段の機能ブロックを有する。
【００７８】
ステップＳ９４で原稿がセットされたか否かを判断し、原稿がセットされた場合（ステップＳ９４／Ｙｅｓ）、タイマーオーバーか否かを判断し、原稿がセットされていない場合（ステップＳ９４／Ｎｏ）、ＵＳＢ装着の検出の有無を判断する（ステップＳ９９）。
タイマーオーバーでないと判断した場合（ステップＳ９５／Ｎｏ）、ＵＳＢ装着の検出の有無を判断し（ステップＳ９６）、タイマーオーバーであると判断した場合（ステップＳ９５／Ｙｅｓ）、ステップＳ１１２へ進む。
【００７９】
ステップＳ９６でＵＳＢ装着の検出が無いと判断した場合（ステップＳ９６／Ｎｏ）、ステップＳ９４に戻り、ＵＳＢ装着の検出が有ると判断した場合（ステップＳ９６／Ｙｅｓ）、ステップＳ９７に進む。
ステップＳ９９でＵＳＢ装着の検出が無い場合（ステップＳ９９／Ｎｏ）、タイマーオーバーか否かを判断し（ステップＳ１００）、タイマーオーバーでない場合（ステップＳ１００／Ｎｏ）、ステップＳ９９に戻り、タイマーオーバーである場合（ステップＳ１００／Ｙｅｓ）、ステップＳ１１２へ進む。
ステップＳ９９でＵＳＢ装着の検出が有る場合（ステップＳ９９／Ｙｅｓ）、ステップＳ１０１へ進む。
ステップＳ１０３でタイマーオーバーか否かを判断し、タイマーオーバーでないと判断した場合（ステップＳ１０３／Ｎｏ）、原稿がセットされているか否かを判断し（ステップＳ１０４）、タイマーオーバーであると判断した場合（ステップＳ１０３／Ｙｅｓ）、ステップＳ１０１へ進む。
【００８０】
ステップＳ９７で定義ファイルを読み込み、ＦＲＯＭ３、ＣＧＲＯＭのデータで描画し（描画例“原稿をスキャンします。”）ステップＳ１０５へ進む。
ステップＳ１０１で定義ファイルを読み込み、ステップＳ１０２でＦＲＯＭ３、ＣＧＲＯＭのデータで描画し（描画例：“ＡＢＣ．ｄｏｃをプリント印刷します。”）、ステップＳ１０５へ進む。
ステップＳ１０５でＬＣＤのバックライトをＯＦＦからＯＮにして点灯させ、ｅｘｉｔボタンの押し下げの有無を検出し（ステップＳ１０６）、押し下げが無い場合（ステップＳ１０６／Ｎｏ）、タイマーオーバーが有るか否かを判断し（ステップS１０７）、押し下げが有る場合（ステップＳ１０６／Ｙｅｓ）、終了する。
タイマーオーバーが無い場合（ステップＳ１０７／Ｎｏ）、ステップＳ１０６に戻り、タイマーオーバーが有る場合（ステップＳ１０７／Ｙｅｓ）、ＬＣＤのバックライトをＯＮからＯＦＦにし（ステップＳ１０８）、必要なブロックを低電力から起動させ（ステップＳ１０９）、ステップＳ１１０へ進む。
ステップＳ１１０では必要なブロックの電源をシーケンシャルにＯＮ、ＯＦＦし、各部の動作推移を監視し（ステップＳ１１１）、動作が完了したか否かを判断する（ステップＳ１１３）。
動作が完了していない場合（ステップＳ１１３／Ｎｏ）、ステップＳ１１０に戻り、動作が完了した場合（ステップＳ１１３／Ｙｅｓ）、終了する。
ステップＳ１１２で省電力モードからの通常復帰を行って終了する。
【００８１】
＜プログラム及び記憶媒体＞
以上で説明した本発明にかかる画像処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００８２】
コンピュータに、
読取手段が、画像処理装置自体に可搬性記憶媒体が装着されると、可搬性記憶媒体内の情報を読み取る手順、
判別手段が、画像処理装置自体の動作に必要な機能ブロックを判別する手順、
該当する機能ブロックだけを個別に電源制御する手順、
を実行させるプログラムが挙げられる。
【００８３】
これにより、プログラムが実行可能なコンピュータ環境さえあれば、どこにおいても本発明にかかる画像処理装置を実現することができる。
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００８４】
なお、上述した実施の形態は、本発明の好適な実施の形態の一例を示すものであり、本発明はそれに限定されることなく、その要旨を逸脱しない範囲内において、種々変形実施が可能である。例えば、上述の説明では、可搬性記憶媒体がＵＳＢメモリの場合で説明したが、本発明ではこれに限定されず、ＨＤＤ、ＣＤ−Ｒ、ＦＤ、ＳＤカード、コンパクトディスクであってもよい。
【符号の説明】
【００８５】
１ａ    メインＭＰＵ
１ｂ    エンジンＭＰＵ
２ａ    ＦＲＯＭ１
２ｂ    ＦＲＯＭ２
２ｃ    ＦＲＯＭ３
２ｄ    ＦＲＯＭ４
３ａ    ＤＲＡＭ１
３ｂ    ＤＲＡＭ２
３ｃ    ＤＲＡＭ３
４ａ    ＳＲＡＭ
４ｂ    電池
５ａ    画像データストレージ
５ｂ    通信データストレージ
６    通信制御部
７ａ    画像処理制御部１
７ｂ    画像処理制御部２
７ｃ    画像処理制御部３
８ａ    スキャナ
８ｂ    スキャナ制御部
９ａ    レーザー
９ｂ    レーザー制御部
１０ａ    プロッタＩ／Ｏ
１０ｂ    プロッタ制御部
１１ａ    モーター／クラッチ
１１ｂ    センサー
１１ｃ    Ｉ／Ｏ制御部１
１１ｄ    Ｉ／Ｏ制御部２
１２ａ    ＡＤＦ
１２ｂ    バンク
１２ｃ    両面
１２ｄ    フィニッシャ
１３ａ    アナログ回路Ｉ／Ｆ
１３ｂ    ＦＡＸモデム
１４    ＬＡＮＩ／Ｆ
１５ａ    ＵＳＢＰＨＹ
１５ｂ    ＵＳＢＨＵＢ
１６ａ    ＴＰ
１６ｂ    ＬＣＤ
１６ｃ    ＣＧＲＯＭ
１６ｄ    キーＳＷ／ＬＥＤ
１７ａ    音声再生／マイク
１７ｂ    音声処理部
１８    オペパネ制御部
１９ａ    電源コード
１９ｂ    電源制御回路
１９ｃ    ＨＰＶ／定着
２０    直流電源生成部
【先行技術文献】
【特許文献】
【００８６】
【特許文献１】特開２００８−２７８１０４号公報
【図１】
2010219813.tif 000009
【図２】
2010219813.tif 000010
【図３】
2010219813.tif 000011
【図４】
2010219813.tif 000012
【図５】
2010219813.tif 000013
【図６】
2010219813.tif 000014
【図７】
2010219813.tif 000015
【図８】
2010219813.tif 000016
【図９】
2010219813.tif 000017